(57)【特許請求の範囲】
【請求項１】
端末本体に設けられて操作者の手の把持位置を検出する把持位置検出手段と、
該操作者によって操作されるキー群を表示する操作画面表示部と、
前記把持位置検出手段によって検出された操作者の手の把持位置を示す把持データに基づいて、前記操作画面表示部に対して表示されるキー群の表示画面を変更する表示制御部と、
前記端末本体の背面に配置されたカメラと、を有し、
前記表示制御部は、該カメラが起動された場合に、該カメラ位置と表示されるキー群の表示画面とが重なり、前記操作者の手が前記カメラを覆わないように、前記キー群の表示画面の位置を該カメラ位置から退避させることを特徴とする携帯端末装置。
【請求項２】
前記表示制御部は、前記把持位置検出手段にて検出された操作者の把持データに基づいて、該操作者が右手で把持しているか、左手で把持しているかを判定し、該判定結果に基づき、前記操作画面表示部に対して表示されるキー群の表示位置及びサイズを変更することを特徴とする請求項１に記載の携帯端末装置。
【請求項３】
前記表示制御部は、前記把持位置検出手段にて検出された操作者の把持データに基づいて、該操作者が右手で把持しているか、左手で把持しているかを判定し、該判定結果に基づき、前記操作画面表示部に対して表示されるキー群の表示位置を、キー操作を容易にするように、右側あるいは左側に変更することを特徴とする請求項１及び２のいずれか１項に記載の携帯端末装置。
【請求項４】
前記把持位置検出手段は、端末本体の両側部とともに、該端末本体の背面部にも設けられることを特徴とする請求項１〜３のいずれか１項に記載の携帯端末装置。
【請求項５】
操作者によって操作されるキー群を表示する操作画面表示部を有し、該操作画面表示部でのキー操作に基づき、各種の処理が実行される携帯端末装置におけるキー配置制御方法であって、
端末本体に設けられて操作者の手の把持位置を検出する把持位置検出手段からの出力に基づいて、前記操作画面表示部に対して、前記キー群の表示画面を変更する手順を含み、かつ、
前記端末本体の背面に配置されたカメラが起動された場合に、該カメラ位置と表示されるキー群の表示画面とが重なって前記操作者の手が前記カメラを覆わないように、前記キー群の表示画面の位置を該カメラ位置から退避させる手順を含む、ことを特徴とする携帯端末装置におけるキー配置制御方法。
【請求項６】
前記把持位置検出手段にて検出された操作者の把持データに基づいて、該操作者が右手で把持しているか、左手で把持しているかを判定し、該判定結果に基づき、前記操作画面表示部に対して表示されるキー群の表示位置及びサイズを変更することを特徴とする請求項５に記載の携帯端末装置におけるキー配置制御方法。
【請求項７】
前記把持位置検出手段は、端末本体の両側部とともに、該端末本体の背面部にも設けられることを特徴とする請求項５又は６のいずれか１項に記載の携帯端末装置におけるキー配置制御方法。
【発明の詳細な説明】
【技術分野】
【０００１】
本発明は、端末本体を把持する使用者の把持位置に応じてキー配置を柔軟に決定・変更できる携帯端末装置及びキー配置制御方法に関する。
【背景技術】
【０００２】
従来、この種の携帯端末装置のキー配置に関する技術として、特許文献１に示される携帯端末装置が知られている。
【０００３】
特許文献１に示される携帯端末装置において、表示部は表示された操作キー群の表示範囲内の一点を起点としたタッチパネルによる連続する移動入力を検知する。検知後、起点と対応する一点を定点として、連続する移動入力に応じて起点を移動させるとともに、この起点の移動に応じて操作キー群の表示範囲を拡大または縮小する。同時に操作キー群の少なくとも一部を拡大または縮小して、操作キー群のレイアウトを変更するようにしたものである。
【先行技術文献】
【特許文献】
【０００４】
【特許文献１】特開２００８−８４１４４号公報
【発明の概要】
【発明が解決しようとする課題】
【０００５】
上記特許文献１に示される携帯端末装置では、操作者のタッチパネル上でのデータ入力状況に応じて、操作キー群の表示範囲の拡大または縮小等のサイズ変更を可能とし、これによってキー操作性の向上が図られるものである。しかしながら、このような携帯端末装置では、操作者が逐一、タッチパネル上での操作キー群を操作する、又はドラッグするなどの追加的な操作を行うことで、操作キー群のサイズ変更がなされるものであり、操作性の点で問題があった。
【０００６】
この発明は、上述した事情に鑑みてなされたものであって、操作者が追加的な操作を行うことなく、迅速かつ容易に操作キー群を変更することができる携帯端末装置及びキー配置制御方法を提供する。
【課題を解決するための手段】
【０００７】
上記課題を解決するため、端末本体に設けられて操作者の手の把持位置を検出する把持位置検出手段と、該操作者によって操作されるキー群を表示する操作画面表示部と、把持位置検出手段によって検出された操作者の手の把持位置を示す把持データに基づいて、操作画面表示部に対して表示されるキー群の表示画面を変更する表示制御部と、端末本体の背面に配置されたカメラと、を有し、表示制御部は、該カメラが起動された場合に、該カメラ位置と表示されるキー群の表示画面とが重なり、操作者の手がカメラを覆わないように、キー群の表示画面の位置を該カメラ位置から退避させることを特徴とする。
【０００８】
また、操作者によって操作されるキー群を表示する操作画面表示部を有し、該操作画面表示部でのキー操作に基づき、各種の処理が実行される携帯端末装置におけるキー配置制御方法にかかる発明は、端末本体に設けられて操作者の手の把持位置を検出する把持位置検出手段からの出力に基づいて、操作画面表示部に対して、キー群の表示画面を変更する手順を含み、かつ、端末本体の背面に配置されたカメラが起動された場合に、該カメラ位置と表示されるキー群の表示画面とが重なって操作者の手がカメラを覆わないように、キー群の表示画面の位置を該カメラ位置から退避させる手順を含む、ことを特徴とする。
【発明の効果】
【０００９】
この発明によれば、端末本体の両側部に、操作者の手の把持位置を検出する把持位置検出手段を設け、該把持位置検出手段によって検出された操作者の手の把持位置を示す把持データに基づいて、操作画面表示部に対して表示されるキー群の表示画面を変更するようにした。そのため、操作者が追加的な操作を行うことなく、操作キー群を示す表示画面の変更を自動的にかつ正確に行うことが可能となる。
【図面の簡単な説明】
【００１０】
【図１】本発明に係わる第一の実施の形態の無線携帯端末１００の外観図であって、（Ａ）は左側面図、（Ｂ）は正面図、（Ｃ）は右側面図、（Ｄ）は背面図である。
【図２】無線携帯端末１００の制御装置１０１を示すブロック図である。
【図３】本発明に係わる第二の実施の形態の無線携帯端末３００の外観図であって、（Ａ）は左側面図、（Ｂ）は正面図、（Ｃ）は右側面図、（Ｄ）は背面図である。
【図４】無線携帯端末３００の制御装置３０１を示すブロック図である。
【図５】表示制御部３０の制御内容を示すフローチャートである。
【図６】操作画面表示部２の画面表示を示す図であって、（Ａ）通常画面、（Ｂ）は右手用画面、（Ｃ）左手用画面である。
【図７】操作画面表示部２の画面表示を示す図であって、（Ａ）は手が小さい操作者用の右手用画面、（Ｂ）手が小さい操作者用の左手用画面である。
【図８】カメラ７を起動した場合の操作画面表示部２の画面表示を示す図であって、（Ａ）通常画面、（Ｂ）は右手用画面、（Ｃ）左手用画面である。
【発明を実施するための形態】
【００１１】
本発明の携帯端末装置及びキー配置制御方法に係わる一実施形態を図１〜図８を参照して説明する。
＜第１の実施の形態＞
まず、本発明に係る第１の実施の形態について説明する。図１は、本発明に係る第１の実施の形態の無線携帯端末１００の外観図であって、（Ａ）は左側面図、（Ｂ）は正面図、（Ｃ）は右側面図、（Ｄ）は背面図である。これらの図において、符号１で示される端末本体の正面部１Ａには、操作画面表示部２と画面表示部３が設けられている。
【００１２】
操作画面表示部２は、液晶ディスプレイ４上にマトリックス状に配置されたキー群５を有する入力手段であって、具体的には、液晶ディスプレイ４と連動してキー群５からの入力を受け付けるタッチパネル６により構成されている。
【００１３】
画面表示部３は、操作画面表示部２のキー群５からの入力データを表示する他、各種モードを表示するための液晶ディスプレイ３Ａから構成される。
【００１４】
また、端末本体１の両側部１Ｃ（図１（Ａ）及び（Ｃ）参照）及び背面部１Ｂ（図１（Ｄ）参照）には操作者の手の把持位置を検出するための把持位置検出手段１０が設けられている。この把持位置検出手段１０は、タッチセンサ１１により構成されるものであって、操作者がタッチセンサ１１を把持した領域がＯＮとなり、把持しない領域がＯＦＦとなる。そして、制御部２０（後述する）にて、タッチセンサ１１で検出されたＯＮ／ＯＦＦ領域に基づき、操作者の手の大きさ、右手で掴んでいるのか／左手で掴んでいるのが判別される。ここでタッチセンサとは、操作者が端末本体の両側部及び背面部に触れているか否かを判定するセンサである。
【００１５】
図２は無線携帯端末１００の制御装置１０１を示すブロック図であって、符号２０で示す制御部には、操作画像表示部２、把持位置検出手段を有する検知センサ部１０が接続されている。
【００１６】
制御部２０は、本発明に係わるキー配置制御装置の表示制御部３０を有するものであって、この表示制御部３０にて、操作者の手の把持位置を検出する検知センサ部１０からの出力に基づいて、操作画面表示部２に対して、キー群５の表示位置及びサイズを変更する処理を行う。
以上詳細に説明したように本実施形態に示される無線携帯端末１００では、端末本体の両側部に、操作者の手の把持位置を検出する把持位置検出手段を設け、該把持位置検出手段によって検出された操作者の手の把持位置を示す把持データに基づいて、操作画面表示部に対して表示されるキー群の表示画面を変更するようにした。そのため、操作者が追加的な操作を行うことなく、操作キー群を示す表示画面の変更を自動的にかつ正確に行うことが可能となる。
＜第２の実施の形態＞
次に、本発明に係る第２の実施の形態について説明する。図３は本発明に係わる第２の実施の形態の無線携帯端末２００の外観図であって、（Ａ）は左側面図、（Ｂ）は正面図、（Ｃ）は右側面図、（Ｄ）は背面図である。これらの図において、符号１で示される端末本体の正面部１Ａには、操作画面表示部２と画面表示部３が設けられている。
【００１７】
操作画面表示部２は、液晶ディスプレイ４上にマトリックス状に配置されたキー群５を有する入力手段であって、具体的には、液晶ディスプレイ４と連動してキー群５からの入力を受け付けるタッチパネル６により構成されている。
【００１８】
画面表示部３は、操作画面表示部２のキー群５からの入力データを表示する他、各種モードを表示するための液晶ディスプレイ３Ａから構成される。
【００１９】
一方、端末本体１の背面部１Ｂには、図３（Ｄ）に示されるようなカメラ７が設けられている。このカメラ７は、操作画面表示部２の裏側に位置するものであって、該操作画面表示部２のキー群５からの指示で起動及び停止がなされる。
【００２０】
また、端末本体１の両側部１Ｃ（図３（Ａ）及び（Ｃ）参照）及び背面部１Ｂ（図３（Ｄ）参照）には操作者の手の把持位置を検出するための把持位置検出手段１０が設けられている。この把持位置検出手段１０は、タッチセンサ１１により構成されるものであって、操作者がタッチセンサ１１を把持した領域がＯＮとなり、把持しない領域がＯＦＦとなる。そして、制御部２０にて、タッチセンサ１１で検出されたＯＮ／ＯＦＦ領域に基づき、操作者の手の大きさ、右手で掴んでいるのか／左手で掴んでいるのが判別される。
【００２１】
図４は無線携帯端末３００の制御装置３０１を示すブロック図であって、符号２０で示す制御部には、操作画面表示部２、画面表示部３、把持位置検出手段１０の他、マイク２１、スピーカー２２、通信を行うための無線部２３、データベース部２４を有する記憶部２５、電源２６などが接続されている。
【００２２】
制御部２０は、本発明に係わるキー配置制御装置の表示制御部３０を有するものであって、この表示制御部３０にて、操作者の手の把持位置を検出する把持位置検出手段１０からの出力に基づいて、操作画面表示部２に対して、キー群５の表示位置及びサイズを変更する処理を行う。
【００２３】
この表示制御部３０の制御内容について、図５を参照して説明する。なお、図５で示される処理、及び操作画面表示部２上に表示される各種モードの表示画面は、記憶部２５のデータベース部２４に予め記憶されているものである。
【００２４】
まず、ステップ１（ＳＰ１）では、操作画面表示部２において、表示画面の位置及びサイズを変更しない「通常画面モード」が選択されているか、また、表示画面の位置及びサイズを変更する「画面変更モード」が選択されているかを判定し、「画面変更モード」が選択されているＹＥＳの場合に、次のステップ２に進む。なお、この「通常画面モード」、「画面変更モード」の選択は、操作画面表示部２に表示されるモード選択画面にて行う。
【００２５】
次に、ステップ２（ＳＰ２）にて、把持位置検出手段１０から、操作者がタッチセンサ１１を把持したときにＯＮ、把持しないときにＯＦＦとされる把持データを取り込む。
【００２６】
次のステップ３（ＳＰ３）では、ステップ２での把持データ取り込みにより、操作者が、現在、無線携帯端末１００を把持しているのか否かを判定し、把持していないＮＯの場合に次のステップ４（ＳＰ４）に進み、また、把持しているＹＥＳの場合に次のステップ５（ＳＰ５）に進む。
【００２７】
そして、ステップ４では、未だ操作者による無線携帯端末３００の把持が行われていないとして、操作画面表示部２に表示する画面を、図６（Ａ）に示すような「通常画面モード」と同じ、位置及びサイズ変更のない通常画面表示とする。
【００２８】
ステップ５（ＳＰ５）では、ステップ２で取り込んだ把持データにより示されるＯＮ／ＯＦＦデータに基づき、操作者が把持する手が右手であるか、左手であるかを判定し、右手である場合にステップ６（ＳＰ６）に進み、左手である場合にステップ７（ＳＰ７）に進む。
【００２９】
なお、このステップ５（ＳＰ５）では、端末本体１の両側部１Ｃにあるタッチセンサ１１（把持位置検出手段１０）の中で、右側の側部１Ｃに位置するタッチセンサ１１のＯＮ領域が、左側の側部１Ｃに位置するタッチセンサ１１のＯＮ領域より多い場合に、操作者が右手で把持していると判定し、また、左側の側部１Ｃに位置するタッチセンサ１のＯＮ領域が、右側の側部１Ｃに位置するタッチセンサ１１のＯＮ領域より多い場合に、操作者が左手で把持していると判定する。
【００３０】
また、操作者が右手で把持しているのか、左手で把持しているのかを示す判定基準は、上述したような、一方側の側部１Ｃに位置するタッチセンサ１１のＯＮ領域が、他方側の側部１Ｃに位置するタッチセンサ１１のＯＮ領域より多いか否かではなく、右手で把持した場合、左手で把持した場合の把持パターンを予め多数用意し、両側の側部１Ｃ及び／又は背面部１Ｂのタッチセンサ１１によって、これらの把持パターンに一致するか否かにより、操作者が右手で把持しているのか、左手で把持しているのかを判定しても良い。
【００３１】
ステップ６（ＳＰ６）では、ステップ５での判定結果に基づき、操作画面表示部２上に、図６（Ｂ）で示すような、予め記憶した右手用表示画面を表示する。この右手用表示画面は、操作画面表示部２での右手のキー操作を容易とするために、基準となる通常画面（図６（Ａ）参照）よりも右側に位置させている。
【００３２】
また、ステップ２で取り込んだ把持データに基づき、操作者の右手が把持する（右側の）側部１Ｃに位置するタッチセンサ１１、及び背面部１Ｂに位置するタッチセンサ１１のＯＮの範囲が、予め定めた規定範囲よりも小さい場合には、図７（Ａ）で示すように、図６（Ｂ）よりも小サイズの右手用表示画面に変更する。
【００３３】
ステップ７（ＳＰ７）では、ステップ５での判定結果に基づき、操作画面表示部２上に、図６（Ｃ）で示すような、予め記憶した左手用表示画面を表示する。この左手用表示画面は、操作画面表示部２での左手のキー操作を容易とするために、基準となる通常画面（図６（Ａ）参照）よりも左側に位置させている。
【００３４】
また、ステップ２で取り込んだ把持データに基づき、操作者の左手が把持する（左側の）側部１Ｃに位置するタッチセンサ１１、及び背面部１Ｂに位置するタッチセンサ１１のＯＮの範囲が、予め定めた規定範囲よりも小さい場合には、図７（Ｂ）で示すように、図６（Ｃ）よりも小サイズの左手用表示画面に変更する。
【００３５】
また、カメラ７を起動した場合には、図７（Ａ）〜（Ｃ）に示すように、端末本体１の背面部１Ｂに位置するカメラ７の設置位置７Ａから退避するように、該設置位置７Ａより下方に、操作画面表示部２の表示画面を位置させるようにすると良い。すなわち、図６（Ａ）の通常画面にある場合には図８（Ａ）に示すように表示し、図６（Ｂ）の右手用表示画面にある場合には図８（Ｂ）に示すように表示し、図６（Ｃ）の左手用表示画面にある場合には図８（Ｃ）に示すように表示する。
【００３６】
そして、このような画面表示の変更を行うことで、操作者がキー群５を操作するに際して、該操作者の手がカメラ７を覆い、写真撮影に支障を来たすことが無い、操作性の良い無線携帯端末１００を得ることができる。
【００３７】
以上詳細に説明したように本実施形態に示される無線携帯端末３００では、端末本体１の両側部１Ｃ及び背面部１Ｂに、操作者の手の把持位置を検出する把持位置検出手段１０を設け、該把持位置検出手段１０によって検出された操作者の手の把持位置を示す把持データに基づいて、操作画面表示部２に対して表示されるキー群５の表示画面を変更するようにした。
【００３８】
そして、このような少なくとも端末本体１の両側部に設けられる、操作者の手の把持位置を検出する把持位置検出手段１０によって、手の小さい操作者であるか否か、右手で掴んでいるのか／左手で掴んでいるのか等、操作者が携帯端末を把持している状況を正確に把握することができる。その結果、操作者が逐一、タッチパネル６上でのキー群５を操作する、又はドラッグするなどの追加的な操作を行うことなく、キー群５を示す表示画面の変更を自動的にかつ正確に行うことができる。
【００３９】
また、上記無線携帯端末３００では、端末本体１の背面にカメラ７を配置し、該カメラ７が起動された場合に、該カメラ位置から退避させるように操作画面表示部２に対して表示されるキー群５の表示画面を位置変更するようにしたので、操作者がキー群５を操作するに際して、該操作者の手がカメラを覆い、写真撮影に支障を来たすことが無く、この点においても無線携帯端末の操作性を向上させることができる。
【００４０】
なお、このような図７（Ａ）及び図７（Ｂ）に示されるような、小サイズの表示画面は、右手／左手毎に一画面ではなく、操作者の手の大きさに応じて複数画面を記憶させておき、該操作者が把持するタッチセンサ１１のＯＮの範囲に応じて、多段階に切り替えるようにしても良い。
【００４１】
また、状況に応じて、図６（Ａ）の通常画面から、図６（Ｂ）及び図６（Ｃ）に示される右手用／左手用表示画面への切換のみとし、図７（Ａ）及び図７（Ｂ）に示されるような、小サイズの表示画面は行わないように設定変更可能としても良い。
【００４２】
また、操作者による把持状態を精密に検出するために、端末本体１の両側の側部１Ｃ及び背面部１Ｂに、把持位置検出手段１０のタッチセンサ１１を設けたが、操作者が右手又は左手で把持しているか、該操作者の手が大きいか否を検出するに際して、端末本体１の背面部１Ｂにタッチセンサ１１を設けることは必須ではなく、適宜、省略しても良い。
【００４３】
以上、本発明の実施形態について図面を参照して詳述したが、具体的な構成はこの実施形態に限られるものではなく、本発明の要旨を逸脱しない範囲の設計変更等も含まれる。
【００４４】
この出願は２００８年１２月１６日に出願された日本特許出願特願２００８−３１９６０４を基礎とする優先権を主張し、その開示の全てをここに取り込む。
【産業上の利用可能性】
【００４５】
本発明は、タッチパネルを用いて操作を行う携帯端末および携帯機器に適用できる。
【符号の説明】
【００４６】
１  端末本体
１Ｃ  側部
２  操作画面表示部
５  キー群
７  カメラ
１０  把持位置検出手段
３０  表示制御部
１００、２００、３００  無線携帯端末
【図１】
0005541405.tif 000002
【図２】
0005541405.tif 000003
【図３】
0005541405.tif 000004
【図４】
0005541405.tif 000005
【図５】
0005541405.tif 000006
【図６】
0005541405.tif 000007
【図７】
0005541405.tif 000008
【図８】
0005541405.tif 000009